(57)【要約】【課題】  本発明は、例えばスプレー配向状態の液晶をベント配向状態に確実に転移することができる駆動方法と駆動回路の提供を目的とする。【解決手段】  本発明は、薄膜トランジスタ１５により画素電極に通電して液晶に電界を印加し、表示動作を開始する前に、液晶駆動のための電圧よりも高い電圧であって、液晶駆動用の電源２０が発生し得る最大の電圧を全ての薄膜トランジスタ１５に接続された全ての画素電極と共通電極とから同時に液晶に対して印加し、液晶を初期化した後に液晶の駆動を開始することを特徴とする。【選択図】      図４
2005099212.tif 000002
【特許請求の範囲】
【請求項１】
基板上に複数のゲート線と複数のソース線とがマトリクス状に設けられて複数の画素領域が配列形成され、各画素領域にゲート電極とソース電極を有する薄膜トランジスタと該薄膜トランジスタに接続された画素電極とが備えられるとともに、該基板と対になる他の基板が設けられ、該他の基板側に共通電極が設けられる一方、前記対になる基板間に液晶が挟持されてなる液晶セルを用いた液晶表示装置の駆動方法であって、
前記薄膜トランジスタにより前記画素電極に通電して液晶に電界を印加し、表示動作を開始する前に、液晶駆動のための電圧よりも高い電圧であって、液晶駆動用の電源が発生し得る最大の電圧を前記全ての薄膜トランジスタに接続された全ての画素電極と前記共通電極とから同時に前記液晶に対して印加し、該液晶を初期化した後に液晶の駆動を開始することを特徴とする液晶表示装置の駆動方法。
【請求項２】
前記液晶が、スプレー配向状態とベント配向状態を取り得るＯＣＢモードの液晶と、ＴＮモードの液晶と、ＳＴＮモードの液晶のいずれか１つであることを特徴とする請求項１に記載の液晶表示装置の駆動方法。
【請求項３】
前記複数の薄膜トランジスタのゲートを全て同時にオンにした状態で前記複数の薄膜トランジスタの全てのソースから液晶駆動のための最大電圧よりも高い電圧を液晶に印加して液晶を初期化することを特徴とする請求項１に記載の液晶表示装置の駆動方法。
【請求項４】
前記液晶駆動時の最大電圧よりも高い電圧として、前記薄膜トランジスタを駆動するための電源から薄膜トランジスタに印加自在な最大電圧を選択することを特徴とする請求項１に記載の液晶表示装置の駆動方法。
【請求項５】
前記薄膜トランジスタを介して前記液晶に基準電圧に対して極性反転電圧を印加して駆動する場合、基準電位を０として極性反転駆動電圧の絶対値の合計値に相当する電圧を印加して液晶材料を初期化することを特徴とする請求項１に記載の液晶表示装置の駆動方法。
【請求項６】
基板上に複数のゲート線と複数のソース線とがマトリクス状に設けられて複数の画素領域が配列形成され、各画素領域にゲート電極とソース電極を有する薄膜トランジスタと該薄膜トランジスタに接続された画素電極とが備えられるとともに、該基板と対になる他の基板が設けられ、該他の基板側に共通電極が設けられる一方、前記対になる基板間に液晶が挟持されてなる液晶セルを用いた液晶表示装置であって、
前記ゲート線にゲートドライバが接続され、前記ソース線にソースドライバが接続される一方、前記ゲートドライバが前記複数の薄膜トランジスタのゲートを同時に全てオンにできる機能を有するとともに、前記オンとされた薄膜トランジスタを介して液晶駆動電圧よりも高い電圧を全ての画素領域の液晶材料に同時に印加自在な電源とソースドライバを具備してなることを特徴とする液晶表示装置。
【請求項７】
前記液晶が、スプレー配向状態とベント配向状態を取り得るＯＣＢモードの液晶と、ＴＮモードの液晶と、ＳＴＮモードの液晶のいずれか１つであることを特徴とする請求項６に記載の液晶表示装置。
【請求項８】
前記液晶駆動時の最大電圧よりも高い電圧として、前記薄膜トランジスタを駆動するための電源の最大駆動電圧を印加自在とされてなることを特徴とする請求項６に記載の液晶表示装置。
【請求項９】
前記薄膜トランジスタを介して前記液晶に基準電圧に対して極性反転電圧を印加して駆動自在とされた構成において、基準電位を０として極性反転駆動電圧の絶対値の合計値に相当する電圧を印加して液晶を初期化自在とされたことを特徴とする請求項６に記載の液晶表示装置。
【発明の詳細な説明】
【技術分野】
【０００１】
本発明は、ＯＣＢ（Optical Compensated Birefringence）モードと称される広視野角で高速応答の表示が可能な液晶表示装置などに用いて好適な駆動方法及び液晶表示装置に関する。
【背景技術】
【０００２】
従来から広視野角で高速応答の表示が可能な液晶表示装置の一例として知られているＯＣＢモードの液晶表示装置は、ベント配向可能な液晶セルに二軸性補償フィルムと偏光子を備えた構成として知られている。また、ベント配向可能な液晶セルとして上下基板とそれらに設けられる配向膜における液晶のプレチルト角を互いに逆向きとしてなり、上下基板間に液晶が挟持されてベント配向が可能な構成が採用されている。
前記ベント配向可能な液晶セルでは液晶の配向状態についてスプレー配向状態とベント配向状態が存在し、通常の表示を行う場合は、ベント配向状態とされている必要がある。しかしこのタイプの液晶セルにおいては、液晶セルの電極間に電圧が印加されていない状態において液晶はスプレー配向状態にされている。（例えば特許文献１参照）
【０００３】
このような構成の液晶セルにおいて表示を行うためには、スプレー配向状態の液晶をベント配向状態の液晶に変える必要を生じる。このため特許文献１においては配向状態をベント配向状態に変換するため、液晶セルの内部にバイアス電界を印加する駆動回路を設けることを採用している。これは、通常駆動時の液晶の表示に使用しない電圧を液晶セル内に印加することにより配向状態をベント配向に転移する技術に関するものであった。
例えば先の特許文献１に開示されている技術によればＯＣＢセルにおける通常の表示動作を開始する前の段階において、液晶を挟持して配置された電極間にバイアス電圧を重畳した交流電圧を印加する工程と、ゼロ電圧あるいは低電圧を印加する工程を交互に繰り返し実施して液晶をベント配向転移することが記載されている。
【０００４】
また、スプレー配向状態の液晶をベント配向状態の液晶に変える技術として、以下の特許文献２に開示されているように、液晶セルの薄膜トランジスタのゲートオン・オフ時間を制御し、ゲート電極と共通電極との間に強い電界をかけ、同時に表示電極と共通電極間にベント配向継続に必要な以上の電圧を印加することにより短時間でベント配向させる技術が開示されている。
【特許文献１】特開２００１−２９０１２７号公報
【特許文献２】特開平９−１８５０３７号公報
【発明の開示】
【発明が解決しようとする課題】
【０００５】
前記特許文献１に開示されている如くスプレー配向状態の液晶をベント配向状態とするために、液晶駆動用の回路からバイアス電圧をスプレー配向状態の液晶に印加してもスプレー配向状態からベント配向状への転移核が発生する場所は一様ではなく、分散されたスペーサの周囲や配向膜界面のムラ、傷部や欠陥部に発生し易く、ベント配向状態への転移を液晶全体で一様に行うのは困難性が高いものであった。また、転移核の発生自体が前述の部分で確実に発生する訳ではなく、特許文献１に記載の技術によっても均一な転移を得るのは容易ではない。
更に、特許文献１に記載された構造を実現するためには、通常の液晶駆動回路の他に相転移用の別途駆動回路が１つあるいは複数必要になり、その分、駆動回路構成が複雑となるおそれが高いものであった。
また、前記特許文献２に記載された技術では、薄膜トランジスタのゲート電極と液晶セルの共通電極との間に強い電界をかけると記載されているが、これらの間に具体的にどの程度の電圧をどの程度の時間、どのような液晶セルに印加するとスプレー配向からベント配向に転移できたのか否か、具体的には記載されていないので、ベント配向へ転移させることが確実に可能であるか否か不明であった。
【０００６】
本発明は前記事情に鑑みてなされたもので、液晶のスプレー配向状態からベント配向状態などへの相転移のための別途特別な回路を設けることなく従来からの通常の駆動回路でもって実現可能であり、例えばスプレー配向状態の液晶をベント配向状態に確実に転移することができる液晶表示装置の駆動方法ならびにその駆動方法を実現できる液晶表示装置の提供を目的とする。
【課題を解決するための手段】
【０００７】
本発明は前記事情に鑑みてなされたもので、基板上に複数のゲート線と複数のソース線とがマトリクス状に設けられて複数の画素領域が配列形成され、各画素領域にゲート電極とソース電極を有する薄膜トランジスタと該薄膜トランジスタに接続された画素電極とが備えられるとともに、該基板と対になる他の基板が設けられ、該他の基板側に共通電極が設けられる一方、前記対になる基板間に液晶が挟持されてなる液晶セルを用いた液晶表示装置の駆動方法であって、前記薄膜トランジスタにより前記画素電極に通電して液晶に電界を印加し、表示動作を開始する前に、液晶駆動のための電圧よりも高い電圧であって、液晶駆動用の電源が発生し得る最大の電圧を前記全ての薄膜トランジスタに接続された全ての画素電極と前記共通電極から同時に前記液晶に対して印加し、該液晶を初期化した後に液晶の駆動を開始することを特徴とする。
本発明は前記液晶として、スプレー配向状態とベント配向状態を取り得るＯＣＢモードの液晶と、ＴＮモードの液晶と、ＳＴＮモードの液晶のいずれか１つであることが好ましい。
【０００８】
本発明は前記事情に鑑みてなされたもので、前記複数の薄膜トランジスタのゲートを全て同時にオンにした状態で前記複数の薄膜トランジスタの全てのソースから液晶駆動のための最大電圧よりも高い電圧を液晶に印加して液晶を初期化することを特徴とする。
本発明は前記事情に鑑みてなされたもので、前記液晶駆動時の最大電圧よりも高い電圧として、前記薄膜トランジスタを駆動するための電源から薄膜トランジスタに印加自在な最大電圧を選択することを特徴とする。
本発明は前記事情に鑑みてなされたもので、前記薄膜トランジスタを介して前記液晶に基準電圧に対して極性反転電圧を印加して駆動する場合、基準電位を０として極性反転駆動電圧の絶対値の合計値に相当する電圧を印加して液晶材料を初期化することを特徴とする。
【０００９】
本発明は前記事情に鑑みてなされたもので、基板上に複数のゲート線と複数のソース線とがマトリクス状に設けられて複数の画素領域が配列形成され、各画素領域にゲート電極とソース電極を有する薄膜トランジスタと該薄膜トランジスタに接続された画素電極とが備えられるとともに、該基板と対になる他の基板が設けられ、該他の基板側に共通電極が設けられる一方、前記対になる基板間に液晶が挟持されてなる液晶セルを用いた液晶表示装置であって、前記ゲート線にゲートドライバが接続され、前記ソース線にソースドライバが接続される一方、前記ゲートドライバが前記複数の薄膜トランジスタのゲートを同時に全てオンにできる機能を有するとともに、前記オンとされた薄膜トランジスタを介して液晶駆動電圧よりも高い電圧を全ての画素領域の液晶材料に同時に印加自在な電源とソースドライバを具備してなることを特徴とする。
本発明は前記液晶が、スプレー配向状態とベント配向状態を取り得るＯＣＢモードの液晶と、ＴＮモードの液晶と、ＳＴＮモードの液晶のいずれか１つであることが好ましい。      
【００１０】
本発明は前記事情に鑑みてなされたもので、前記液晶駆動時の最大電圧よりも高い電圧として、前記薄膜トランジスタを駆動するための電源の最大駆動電圧を印加自在とされてなることを特徴とする。
本発明は前記事情に鑑みてなされたもので、前記薄膜トランジスタを介して前記液晶に基準電圧に対して極性反転電圧を印加して駆動自在とされた構成において、基準電位を０として極性反転駆動電圧の絶対値の合計値に相当する電圧を印加して液晶を初期化自在とされたことを特徴とする。
【発明の効果】
【００１１】
本発明においては、表示動作を開始する前に、ＯＣＢモードなどの液晶セルの液晶に対し液晶駆動用の電源が発生し得る最大の電圧を印加して液晶の配向状態のリセットを行うので、別途特別な電源を追加することなく、別途特別な駆動回路を設けることなくＯＣＢモードなどの液晶をスプレー配向状態からベント配向状態に転移させることができる。また、ベント配向状態に転移させた後は前述の最大電圧よりも低い通常の液晶駆動電圧でＯＣＢモードの液晶駆動ができる。また、液晶駆動用の電源が発揮し得る最大の電圧を印加することで、スプレー配向状態からベント配向状態に確実に転移させることができる。更にここで用いる液晶はＯＣＢモードの液晶に限るものではなく、ＴＮモードの液晶、ＳＴＮモードの液晶であっても良く、いずれの液晶においても初期化してその後の駆動を円滑に行い得るように、液晶の配向状態のリセットができる。
【００１２】
本発明においては、薄膜トランジスタのゲートを全て同時にオンにした状態で複数の薄膜トランジスタの全てのソースから液晶駆動のための最大電圧よりも高い電圧を液晶に印加して液晶を初期化するので、特別な回路を付加することなく、一般的な液晶駆動回路を用いて液晶全体を効果的にリセットすることができる。また、ＯＣＢモードの液晶とした場合、スプレー配向状態からベント配向状態に転移させるので、特別な回路を付加することなく、一般的な液晶駆動回路を用いて液晶全体を効果的にスプレー配向状態からベント配向状態に転移させることができる。
【００１３】
本発明においては、薄膜トランジスタを介して液晶に基準電圧に対して極性反転電圧を印加して駆動する場合、基準電位を０として極性反転駆動電圧の絶対値の合計値に相当する電圧を印加して液晶材料を初期化することで、液晶駆動用の電源が発揮し得る最大電圧を利用して液晶をスプレー配向状態からベント配向状態に転移させることができるので、確実な液晶の配向状態の転移が可能となる。
【発明を実施するための最良の形態】
【００１４】
次に、本発明に係る第１の形態の液晶表示装置とその駆動方法について、図面を参照して説明する。
本発明に係る液晶表示装置の第１実施形態は、図１に示すように上下に対向するように一対の基板１、２が設けられ、図では略されているが基板１、２の周辺部にシール剤が介在されて両基板１、２間に液晶３が挟持され、基板２の下方側に光学補償板Ｋ１と偏光板Ｈ１が設けられ、基板１の上方側に光学補償板Ｋ２と偏光板Ｈ２が設けられて概略構成されている。なお、液晶表示装置として偏光板Ｈ１を略して構成することも可能である。
また、実際の基板１、２においては一方の基板、例えば基板１の液晶側に全面共通電極と配向膜が形成され、他方の基板、例えば基板２の液晶側に図４に示す等価回路的に示されるような複数の薄膜トランジスタ５と複数のソース線６および複数のゲート線７がマトリクス状に配置されたマトリクス駆動回路が形成されて液晶セルＳが構成されている。
より具体的には、他方の基板、例えば基板２の液晶側にマトリクス状に図示略の絶縁層を介して交差するように複数のソース線６および複数のゲート線７が配置され、これら複数のソース線６とゲート線７の交差領域が１つの画素領域８とされ、各画素領域８に先のソース線６の一部にドレイン電極１０を接続し、先のゲート線７の一部にゲート電極１１を接続し、液晶駆動用の画素電極１２にソース電極１３を接続した薄膜トランジスタ（以下、ＴＦＴと略称する。）１５が設けられている。なお、等価回路表示において液晶はコンデンサとして表示できるので、図４においてはＴＦＴ１５のドレイン電極１３に接続された液晶をコンデンサ記号で表示してある。従って図１は図４に示す等価回路の１つの画素領域８に対応する部分の液晶セルの断面構造を簡略的に示す。なお、これまで説明した回路構成とパネル構成は一般的な薄膜トランジスタ回路を備えたＴＦＴ液晶パネルの構成と変わるものではない。
【００１５】
更に上下の偏光板Ｈ１、Ｈ２の偏光軸の方向は９０°交差する向きとされ、基板１、２の配向膜において液晶のプレチルト角が逆向きとされているので、図１に示す液晶セルにおいて電圧無印加時は図３に示すように液晶分子３ａ…がスプレー配向状態とされるとともに、後述する操作による電圧印加時においては図１と図２に示すようにベント配向状態とされるようにされている。
また、ＯＣＢモードの液晶３としては一般的なものを用いることができるが、例えば、特許３１８３６４６号に記載されているＬＣ１〜ＬＣ６にて表記されるものなどを用いれば良い。
【００１６】
図４に示すように前記複数のゲート線７は個々にゲートドライバ１６に接続され、前記複数のソース線６は個々にソースドライバ１７に接続され、ゲートドライバ１６とソースドライバ１７には制御回路１８が接続されるとともに、電源２０がゲートドライバ１６とソースドライバ１７に接続され、これらに必要な電気信号を供給できるように構成されるとともに、この電源２０は基板上に先のゲート線７とほぼ平行にゲート線７およびソース線６と絶縁状態で単独配置された給電線２１に接続されていて、各給電線２１が一方の基板側の共通電極に接続されている。
これらの回路構造から、電源２０はゲートドライバ１６とソースドライバ１７に液晶駆動用の電気信号を供給できるとともに、これらとは別個に共通電極側にも通電できるように構成されている。なお、図４に示す等価回路において液晶３を挟む上下の電極のうち、上に描いた電極は各画素領域８に形成された画素電極４を示し、下に描いた電極は共通電極５を示す。この共通電極５は図４に示す等価回路においては画素領域毎に区分けして描かれているが、例えば基板１の表示領域の液晶側に形成された全面電極を意味する。
【００１７】
図４に示す回路を駆動するには、図５に示すタイミングチャートの一例に従って駆動する。
まず、電源２０のパワーをＬ１線の如く立ち上げ、ゲートドライバ１６、ソースドライバ１７にこれらの駆動のために必要な電気信号供給の準備を行い、同時にゲート線ＧｎとＧｎ＋１の全てに１ｍｓｅｃ〜１００ｍｓｅｃの時間程度、駆動パルスＬ３とＬ４を与えて全てのＴＦＴ１５のゲートを開き、電源２０からソースドライバ１７と複数の給電線２１を介した通電により液晶３を上下に挟む画素電極と共通電極間に直に電源２０から必要な電圧を印加できるようにする。なお、通常の液晶駆動においては複数のゲート線７を時間差で順次スキャンして走査し、駆動するが、ここではスキャンすることなく同時に全てのゲート線７に１ｍｓｅｃ〜１００ｍｓｅｃ程度の時間、電源２０から通電してＴＦＴ１５のゲートを全てオンとする。
この状態で全ての画素電極４と共通電極５に電源２０から直接電圧を印加できる状態となるので、電源２０が発生し得る最大の電圧を画素電極４と共通電極５を介して液晶３に印加する初期化操作を行う。より具体的には図５に示す初期化時間でゲートがオンになっている間、交流駆動ならば交流パルスを初期化時間の間に連続的に印加して初期化する。この初期化操作により液晶をスプレー配向状態からベント配向状態に転移させる。
ここで印加する初期化操作の印加電圧として、共通電極５側に＋５Ｖ程度印加すると仮定すると、液晶駆動には通常交流駆動を行うので、画素電極４側には０Ｖか１０Ｖ程度印加する。
【００１８】
ここで先に示す構成の液晶セルにおいて電圧無印加時に液晶分子３ａ…は、基板１、２のプレチルト角が逆向きとされているのでプレチルトを発現する方向が異なり、基板１、２の配向膜の配向方向の向きが平行状態とされているので、図３に示すスプレー配向状態となる。この状態から単に液晶駆動用の電圧を印加してもスプレー配向状態は図１と図２に示すベント配向状態にはならない。これに対して先の初期化操作を行って強制的に一端ベント配向状態とした後ならば、その後に、図５のゲート線ＧｍとＧｎ＋１に駆動パルスＬ５、Ｌ６に示すように駆動電圧を印加して駆動することでＯＣＢモードの液晶を駆動することができる。
【００１９】
図６は本発明に係る第２実施形態の液晶表示装置の等価回路を示すもので、この第２実施形態の等価回路において先の第１実施形態の等価回路と同じ構成要素には同一の符号を付してそれらの部分の説明を省略する。
図６に示す等価回路において図４に示す等価回路と異なるのは、スイッチＳＷ１を設けるとともに、このスイッチＳＷ１により端子ａ、ｂ、ｃを選択可能に構成し、スイッチＳＷ１により端子ａを選択した場合においては電源２０が発生する最大電位の絶対値の半分の電位を選択できるように、スイッチＳＷ１により端子ｂを選択した場合においては電源２０が発生する最大電位の絶対値の電位を選択できるように、スイッチＳＷ１により端子ｃを選択した場合においては接地電位（０Ｖ）を選択できるように構成されている。
【００２０】
図６に示す回路を駆動するには、図７に示すタイミングチャートの一例に従って駆動する。
まず、電源２０のパワーをＬ１線の如く立ち上げ、スイッチＳＷ１により端子ｃを選択して接地電位（０Ｖ）とし、給電線２１を介して基板の共通電極側を０Ｖとし、ゲートドライバ１６、ソースドライバ１７にこれらの駆動のために必要な電気を供給し、同時にゲート線ＧｎとＧｎ＋１の全てに１ｍｓｅｃ〜１００ｍｓｅｃの駆動パルスＬ３とＬ４を与えて全てのＴＦＴ１５のゲートを開き、電源２０からソースドライバ１７と複数の給電線２１を介した通電により液晶３を上下に挟む画素電極と共通電極間に直に電源２０から供給可能な最大電圧を印加できるようにする。
なお、通常の液晶駆動においては複数のゲート線７を時間差で順次スキャンして走査し、駆動するが、ここではスキャンすることなく同時に全てのゲート線７に１ｍｓｅｃ〜１００ｍｓｅｃ程度の時間通電してＴＦＴ１５のゲートを全てオンとする。
【００２１】
この状態から電源２０が発生し得る最大の電圧の絶対値を画素電極と共通電極を介して液晶３に印加する。より具体的には図５に示す初期化時間でゲートがオンになっている間、交流駆動ならば交流パルスを初期化時間の間に連続印加して初期化する。この初期化操作により液晶をスプレー配向状態からベント配向状態に転移させる。
ここでは、通常の液晶駆動時に共通電極５側に＋５Ｖの電位を与え、画素電極４側に０〜１０Ｖの電位を与えて駆動すると仮定すると、先の初期化操作の場合はスイッチＳＷ１を端子ｃに接続して共通電極５側を０Ｖとし、画素電極４側に＋１０Ｖ印加することで初期化操作を行うことができる。
また、交流駆動により初期操作する場合は、画素電極４側に加える電位の逆位相になるようにスイッチＳＷ１を操作することで、交流駆動の初期化操作においても常に電源が発生し得る最大電位を液晶に印加することができる。例えば、画素電極４側に＋１０Ｖ、共通電極５側に０Ｖの場合と、画素電極４側に０Ｖ、共通電極５側に＋１０Ｖの場合とを切り替えて交流駆動により初期化操作を行う。
また、通常の液晶駆動時にはスイッチＳＷ１を端子ａに接続して共通電極５側に＋５Ｖの電位を与え、画素電極４側に０〜１０Ｖの範囲の電位を与えることで、図７に示す液晶駆動の交流駆動を実現できる。
【００２２】
ここで先に示す構成の液晶セルにおいて電圧無印加時に液晶分子３ａ…は、基板１、２のプレチルト角が逆向きとされているので、プレチルトを発現する方向が異なり、図３に示すスプレー配向状態をとる。この状態から単に液晶駆動用の電圧を印加してもスプレー配向状態は図１と図２に示すベント配向状態とはならない。これに対して先の初期化操作を行って一端ベント配向状態とした後ならば、図５のゲート線ＧｍとＧｎ＋１に駆動パルスＬ５、Ｌ６に示すように印加して駆動することでＯＣＢモードの液晶を駆動することができる。
【００２３】
なお、これまでの例の説明ではＯＣＢモードの液晶表示装置とその駆動方法に本発明を適用した例について説明したが、本発明をＴＮモードの液晶表示装置あるいはＳＴＮモードの液晶表示装置に適用できるのは勿論である。これらＴＮモードあるいはＳＴＮモードの液晶においても液晶の配向状態の転移が充分円滑ではなくなるケースも考えられるので、電圧印加時と電圧無印加時の液晶転移の状態を強制的に切り替えて液晶の転移を円滑に行うようにすることができる。
【実施例】
【００２４】
透明な２枚のガラス基板をセルギャップ７μｍ以下で対向させ、基板間にＯＣＢモードの液晶を挟持して両者をシール材で貼り合わせて液晶セルを構成した。ここで用いたＯＣＢモードの液晶は、ネマチック液晶を用いた。
２枚のガラス基板の内、下側の基板には幅３μｍの６４０本のモリブデンタンタル合金製のゲート線と幅３μｍの４８０本のアルミニウム製のソース線をＳｉＮＸの層間絶縁膜を介してマトリクス状に配線し、９０×９０μｍの大きさの画素領域を区画するとともに、各画素領域に逆薄膜トランジスタを設け、薄膜トランジスタのソース電極にアルミ電極からなる画素電極を設けたアクティブマトリクス基板とし、その上に平坦化膜とポリイミドの配向膜を形成し、配向膜のプレチルト角を１５゜以下になるようにラビング処理を施した。ラビング方向は基板左右方向に平行なパラレル方向とした。また、薄膜トランジスタはリンをドープしたタイプのアモルファスシリコン層とｎ型アモルファスシリコン層をアルミニウム製のゲート電極とソース電極で挟んだ形状の逆スタガ型の一般的なものを利用し、薄膜トランジスタのソース電極にＩＴＯの透明電極からなる画素電極を接続して設けた。
他方のガラス基板はその液晶側の面にＩＴＯからなる全面共通電極とポリイミドの配向膜を形成し、配向膜のラビング方向を先の基板と平行なパラレル方向としたが、プレチルト角度を７゜以下、その向きを先の基板の１８０°逆向きとした。
【００２５】
このように組み上げた液晶セルの薄膜トランジスタのソース電圧を１０Ｖ、ゲート電圧を２０Ｖとして全ての薄膜トランジスタのゲートを１０ｍｓｅｃの間オンとし、画素電極と共通電極間に画素電極を０Ｖと１０Ｖとして共通電極全面に＋５Ｖの電圧を電源から１０ｍｓｅｃ印加して液晶の初期化を行った。
その後、薄膜トランジスタのソース電圧を０Ｖと１０Ｖ、ゲート電圧を１５Ｖとして画素電極と共通電極間に画素電極を５Ｖとして共通電極全面に＋０〜５Ｖの電圧を電源から印加することで液晶の駆動を行ってみたところ、基板全面において表示状態にムラのない再現性のある通常の液晶表示状態を得ることができた。
【００２６】
図８に先のノーマリーブラックのＯＣＢモードの液晶表示装置の表示状態における白表示状態と黒表示状態の液晶セルの印加電圧に対する透過率を示す。透過率の測定は液晶セルの上下に１８０°偏光軸の向きの異なる偏光板を配置し、下基板の裏側に配置したバックライトを発光させ、上基板の上方５０ｃｍの位置にＣＣＤ受光素子を配置し、透過率変動を測定した。測定は白表示状態と黒表示状態を繰り返し５回順次表示分けして個々に測定したものの平均値で示した。
この実験においてコントラスト１００以上のムラのない、白抜けのない良好な表示状態を得ることができた。
これに対して初期化を行わないで液晶の駆動を行った場合の同等の試験結果を図８に併せて示す。初期化を行わないで液晶の駆動を行うと、電圧印加の効果は少なく、白表示状態においても黒表示状態においてもコントラストが１０以下となった。また、配向状態をも不安定のために光の複屈折効果により着色されたムラ表示となった。
なおこの実施例の液晶セルを用いて画像を種々表示してみたが、表示ムラのない良好な表示状態を得ることができ、液晶表示開始前に通常の液晶駆動電圧よりも高い電圧を印加して液晶を初期化しておくことでＯＣＢモードの液晶の良好な駆動表示状態を確実に得られることが判明した。
【図面の簡単な説明】
【００２７】
【図１】図１は本発明に係る第１実施形態のＯＣＢモードの液晶セルの基本構造の一部を示す斜視図である。
【図２】図２は電界を印加した状態のＯＣＢモード液晶の液晶分子配列の一例を示す図である。
【図３】図３は電界を印加していない状態のＯＣＢモード液晶の液晶分子配列の一例を示す図である。
【図４】図４は図１に示す第１実施形態の構造の液晶セルを備えた液晶表示装置全体の等価回路を示す図である。
【図５】図５は図４に示す構成の等価回路を駆動する際のタイミングチャート。
【図６】図６は本発明に係る第２実施形態の構造の液晶セルを備えた液晶表示装置全体の等価回路を示す図である。
【図７】図７は図６に示す構成の等価回路を駆動する際のタイミングチャート。
【図８】図８は実施例で製造された液晶表示装置の透過率の測定結果を示す図である。
【符号の説明】
【００２８】
１、２…基板、Ｈ１、Ｈ２…偏光板、Ｋ１、Ｋ２…光学補償板、３…液晶、３ａ…液晶分子、６…ソース線、７…ゲート線、８…画素領域、１０…ドレイン電極、１１…ゲート電極、１３…ソース電極、１５…薄膜トランジスタ（ＴＦＴ）、１６…ゲートドライバ、１７…ソースドライバ、２０…電源。
【図１】
2005099212.tif 000003
【図２】
2005099212.tif 000004
【図３】
2005099212.tif 000005
【図４】
2005099212.tif 000006
【図５】
2005099212.tif 000007
【図６】
2005099212.tif 000008
【図７】
2005099212.tif 000009
【図８】
2005099212.tif 000010